(57)【要約】【課題】携帯端末から印刷設定を受けつつプレビュー画像を見やすく表示させることのできる印刷サーバおよび印刷システムを提供する。【解決手段】印刷サーバ１０は、Ｗｅｂブラウザ機能を有する携帯端末５０にて印刷設定画面を表示させて印刷設定を受けつつ、その印刷設定情報を携帯端末５０から取得し、該印刷設定の反映されたプレビュー画像がＷｅｂブラウザ機能を有する複合機３０の操作パネル４５に表示されるように、必要なデータを複合機３０へ送信する。【選択図】図１
2014048746.tif 000002
【特許請求の範囲】
【請求項１】
Ｗｅｂブラウザ機能を有する第１および第２の端末装置に接続可能な印刷サーバであって、
印刷対象のドキュメントに関する印刷設定を受け付けるための印刷設定画面を表示して印刷設定を受け付け、該受け付けた印刷設定の内容を示す印刷設定情報を当該印刷サーバに送信するようにＷｅｂブラウザを動作させるデータを、Ｗｅｂブラウザ機能を有する第１端末装置に送信する印刷設定管理部と、
前記第１端末装置から前記印刷設定情報を受信する印刷設定情報受信部と、
前記印刷設定情報受信部の受信した前記印刷設定情報の示す印刷設定の内容が反映された前記印刷対象のドキュメントのプレビュー画像を表示するようにＷｅｂブラウザを動作させるデータを、Ｗｅｂブラウザ機能を有する第２端末装置に送信するプレビュー表示管理部と、
を有する
ことを特徴とする印刷サーバ。
【請求項２】
前記印刷設定管理部が前記第１端末装置に送信するデータは、前記印刷設定画面で印刷設定を受ける毎にその内容を示す印刷設定情報を当該印刷サーバに送信するようにＷｅｂブラウザを動作させるものであり、
前記プレビュー表示管理部は、前記印刷設定情報受信部が前記第１端末装置から前記印刷設定情報を受信する毎に、該印刷設定情報の示す印刷設定の内容が反映されたプレビュー画像をＷｅｂブラウザに表示させるためのデータを、前記第２端末装置に送信する
ことを特徴とする請求項１に記載の印刷サーバ。
【請求項３】
前記第１端末装置と前記第２端末装置の双方から同一のユーザが当該印刷サーバにログインしていることを条件に、前記第１端末装置のＷｅｂブラウザで印刷設定を受け付け、その印刷設定の内容を反映したプレビュー画像を前記第２端末装置のＷｅｂブラウザに表示させる連携機能を有効にする
ことを特徴とする請求項１または２に記載の印刷サーバ。
【請求項４】
前記第１端末装置と前記第２端末装置のいずれか一方は携帯端末であり、他方は印刷装置である
ことを特徴とする請求項１乃至３のいずれか１つに記載の印刷サーバ。
【請求項５】
請求項４に記載の印刷サーバと、前記第１端末装置と、前記第２端末装置と、を有する
ことを特徴とする印刷システム。
【発明の詳細な説明】
【技術分野】
【０００１】
本発明は、端末装置からの印刷設定を可能にする印刷サーバおよび印刷システムに関する。
【背景技術】
【０００２】
ドキュメントを印刷するときに様々な印刷設定を施すと、印刷物の仕上がり状況の予測がしばしば困難になる。この問題を解決するために、印刷設定を反映した場合の印刷画像（プレビュー画像）を印刷前にディスプレイに表示して確認することのできる印刷プレビュー機能が普及している。
【０００３】
また、モバイル端末などの端末装置から印刷ジョブの投入や印刷設定を行って印刷装置に所望のドキュメントを印刷させる印刷システムがあり、モバイル端末の小さなディスプレイにおいて印刷設定やプレビュー画像の表示を適切に行うための技術が提案されている。
【０００４】
たとえば、モバイル端末から表示能力情報とドキュメントデータをプリンタへ送ると、プリンタがその表示能力に応じたプレビュー画像データを生成してモバイル端末に送信し、モバイル端末でプレビュー画像を表示してユーザに確認させた上でプリント要求を受け付けるようにした印刷システムがある（特許文献１参照）。
【０００５】
また、サーバを利用した例としては、たとえば、携帯端末にて、印刷対象の文書および印刷を実行するプリンタ、印刷設定の内容を選択すると、サーバがその携帯端末の表示部に関する情報に基づいてその文書をその携帯端末で表示するのに適したサイズ・解像度のプレビュー画像を生成し、これを携帯端末に送信して表示させる印刷システムがある（特許文献２参照）。
【先行技術文献】
【特許文献】
【０００６】
【特許文献１】特開２００６−１６３７９４号公報
【特許文献２】特開２０１１−１１８５８６号公報
【発明の概要】
【発明が解決しようとする課題】
【０００７】
特許文献１、２の技術によれば、プレビュー画像をモバイル端末のディスプレイのサイズや解像度に合わせて表示することができる。しかし、モバイル端末の小さなディスプレイに印刷設定画面を表示して操作を受けつつプレビュー画像をさらにモバイル端末に表示するには、どちらか一方を一時的に隠すか、両者を小さく表示しなければならず、両者を適切なサイズで同時に表示することは困難であった。
【０００８】
本発明は、上記の問題を解決しようとするものであり、端末装置から印刷設定を受けつつプレビュー画像を見やすく表示させることのできる印刷サーバおよび印刷システムを提供することを目的としている。
【課題を解決するための手段】
【０００９】
かかる目的を達成するための本発明の要旨とするところは、次の各項の発明に存する。
【００１０】
［１］Ｗｅｂブラウザ機能を有する第１および第２の端末装置に接続可能な印刷サーバであって、
印刷対象のドキュメントに関する印刷設定を受け付けるための印刷設定画面を表示して印刷設定を受け付け、該受け付けた印刷設定の内容を示す印刷設定情報を当該印刷サーバに送信するようにＷｅｂブラウザを動作させるデータを、Ｗｅｂブラウザ機能を有する第１端末装置に送信する印刷設定管理部と、
前記第１端末装置から前記印刷設定情報を受信する印刷設定情報受信部と、
前記印刷設定情報受信部の受信した前記印刷設定情報の示す印刷設定の内容が反映された前記印刷対象のドキュメントのプレビュー画像を表示するようにＷｅｂブラウザを動作させるデータを、Ｗｅｂブラウザ機能を有する第２端末装置に送信するプレビュー表示管理部と、
を有する
ことを特徴とする印刷サーバ。
【００１１】
上記発明では、印刷サーバは、Ｗｅｂブラウザ機能を有する第１端末装置にて印刷設定画面を表示させて印刷設定を受けつつ、その印刷設定の反映されたプレビュー画像がＷｅｂブラウザ機能を有する第２端末装置に表示されるように制御する。たとえば、Ｗｅｂアプリケーションを含むＷｅｂページのＨＴＭＬ（Hyper Text Markup Language）ファイル等を印刷サーバから端末装置に送信し、端末装置のＷｅｂブラウザに印刷設定画面やプレビュー画像を表示させたり、印刷設定が反映されるようにＷｅｂアプリケーションにプレビュー画像を加工処理させたりする。
【００１２】
［２］前記印刷設定管理部が前記第１端末装置に送信するデータは、前記印刷設定画面で印刷設定を受ける毎にその内容を示す印刷設定情報を当該印刷サーバに送信するようにＷｅｂブラウザを動作させるものであり、
前記プレビュー表示管理部は、前記印刷設定情報受信部が前記第１端末装置から前記印刷設定情報を受信する毎に、該印刷設定情報の示す印刷設定の内容が反映されたプレビュー画像をＷｅｂブラウザに表示させるためのデータを、前記第２端末装置に送信する
ことを特徴とする［１］に記載の印刷サーバ。
【００１３】
上記発明では、第１端末装置で印刷設定が変更される度に、第２端末装置においてその変更後の印刷設定が反映されたプレビュー画像が逐次表示される。
【００１４】
［３］前記第１端末装置と前記第２端末装置の双方から同一のユーザが当該印刷サーバにログインしていることを条件に、前記第１端末装置のＷｅｂブラウザで印刷設定を受け付け、その印刷設定の内容を反映したプレビュー画像を前記第２端末装置のＷｅｂブラウザに表示させる連携機能を有効にする
ことを特徴とする［１］または［２］に記載の印刷サーバ。
【００１５】
上記発明では、同じユーザが印刷サーバの印刷アプリケーションにログインしていることが、連携の条件になる。
【００１６】
［４］前記第１端末装置と前記第２端末装置のいずれか一方は携帯端末であり、他方は印刷装置である
ことを特徴とする［１］乃至［３］のいずれか１つに記載の印刷サーバ。
【００１７】
［５］［４］に記載の印刷サーバと、前記第１端末装置と、前記第２端末装置と、を有する
ことを特徴とする印刷システム。
【発明の効果】
【００１８】
本発明に係る印刷サーバ、印刷システムによれば、第１端末装置で印刷対象のドキュメントに対する印刷設定の操作を受けつつ、第２端末装置にそのプレビュー画像を表示することができる。
【図面の簡単な説明】
【００１９】
【図１】本発明の実施の形態に係る印刷サーバを含む印刷システムの一例を示す図である。
【図２】連携機能を有効にしている状態で携帯端末に表示される印刷設定画面の一例を示す図である。
【図３】連携機能を有効にしている状態で複合機の操作パネルに表示されるプレビュー画面の一例を示す図である。
【図４】印刷サーバの概略構成を示すブロック図である。
【図５】複合機の概略構成を示すブロック図である。
【図６】携帯端末の概略構成を示すブロック図である。
【図７】印刷システムのソフトウェア構成を示す図である。
【図８】携帯端末が行う処理を示す流れ図である。
【図９】図８の続きを示す流れ図である。
【図１０】複合機が行う処理を示す流れ図である。
【図１１】印刷サーバが行う処理を示す流れ図である。
【発明を実施するための形態】
【００２０】
以下、図面に基づき本発明の実施の形態を説明する。
【００２１】
図１は、本発明の実施の形態に係る印刷サーバ１０を含む印刷システム８の一例を示している。印刷システム８は、ＬＡＮ（Local Area Network）などのネットワーク２に、印刷サーバ１０と、複合機３０と、携帯端末５０を接続して構成される。携帯端末５０は、アクセスポイント３を介して無線通信によりネットワーク２と接続されている。なお、複合機３０や携帯端末５０は複数台設けられてもよい。また、ネットワーク２には、パーソナルコンピュータなどのＰＣ端末等が接続されていてもよい。
【００２２】
複合機３０は、原稿を光学的に読み取ってその複製画像を記録紙に印刷するコピー機能、読み取った原稿の画像データをファイルにして保存したり外部端末へネットワーク２を通じて送信したりするスキャン機能、印刷サーバ１０からネットワーク２を通じて受信した印刷ジョブに基づいて記録紙上に文書や画像を印刷して出力する印刷機能などを備えた画像処理装置である。
【００２３】
複合機３０は、操作画面や設定画面などの各種の画面を表示すると共に、ジョブの投入操作や各種の設定操作などをユーザから受け付ける操作パネル４５を備えている。また、複合機３０は、Ｗｅｂブラウザ機能を備えており、操作パネル４５にＷｅｂブラウザの画面を表示したり、その画面において各種の操作をユーザから受け付けたりすることができる。
【００２４】
携帯端末５０は、小型のタッチパネル付き表示部を備えた携帯型の情報端末である。携帯端末５０もまたＷｅｂブラウザ機能を備えており、表示部にＷｅｂブラウザの画面を表示したり、その画面に対する各種の操作をユーザから受け付けたりすることができる。
【００２５】
印刷サーバ１０は、複合機３０や携帯端末５０が有するＷｅｂブラウザ機能を利用して複合機３０の操作パネル４５や携帯端末５０の表示部に表示させた印刷設定画面を通じて、印刷対象のドキュメントの指定や印刷設定を受け付けて印刷ジョブを作成し、これを複合機３０などの印刷装置に送信して印刷させる機能を有する。また、印刷サーバ１０は、複合機３０と携帯端末５０のいずれか一方で印刷設定の操作を受け付けながら他方の表示部にその印刷設定の内容が反映された印刷対象のドキュメントのプレビュー画像を表示させる機能（これを以後、連携機能と呼ぶ）を備えている。
【００２６】
たとえば、連携機能を使用することで、ユーザは、複合機３０の近くに立って携帯端末５０で印刷設定を行いながら、そのプレビュー画像を複合機３０の操作パネル４５で確認することができる。なお、連携機能によって連携させる２台の装置が共に携帯端末５０等の端末装置であっても、あるいは２台が共に複合機３０等であってもかまわない。
【００２７】
図２は、連携機能を有効にしている状態で携帯端末５０に表示される印刷設定画面６０の一例を示している。図２に示す印刷設定画面６０では、カラー選択、印刷タイプ、綴じ位置などに関する設定を受け付ける。カラー選択では、印刷対象のドキュメントをカラー、グレースケール、モノクロのいずれで印刷するかが選択される。印刷タイプでは、用紙の片面のみに印刷するか、両面に印刷するか、見開きの配置で印刷するかが選択される。綴じ位置の設定では、ステイプルで用紙を綴じる際の綴じ位置が選択される。
【００２８】
図３は、連携機能を有効にしている状態で複合機３０の操作パネル４５に表示されるプレビュー画面７０の一例を示している。プレビュー画面７０には、プレビュー画像７８を表示するための表示エリアであるプレビュー画像表示エリア７１と、プレビュー画像表示エリア７１にプレビュー画像７８が表示されているページのページ番号が表示されるページ番号欄７２と、プレビュー画像表示エリア７１に表示されるページを切り替えるための右矢印釦７３と、左矢印釦７４などが表示されている。左矢印釦７４はプレビュー画像表示エリア７１に表示されるページを先頭ページ方向へ１ページ分戻らせるための操作釦である。右矢印釦７３はプレビュー画像表示エリア７１に表示されるページを最終ページ方向へ１ページ分進ませるための操作釦である。
【００２９】
図４は、印刷サーバ１０の概略構成を示すブロック図である。印刷サーバ１０は、当該印刷サーバ１０の動作を制御するＣＰＵ(Central Processing Unit)１１に、バスを通じてＲＯＭ(Read Only Memory)１２と、ＲＡＭ(Random Access Memory)１３と、不揮発メモリ１４と、ＨＤＤ（Hard Disk Drive）１５と、ネットワーク通信部１６と、外部Ｉ／Ｆ（Interface）１７とを接続して構成される。
【００３０】
ＣＰＵ１１は、ＯＳ（Operating System）プログラムをベースとし、その上で、ミドルウェアやアプリケーションプログラムなどを実行する。
【００３１】
ＲＯＭ１２には、各種のプログラムが格納されており、これらのプログラムに従ってＣＰＵ１１が各種処理を実行することで印刷サーバ１０の各機能が実現される。
【００３２】
ＲＡＭ１３は、ＣＰＵ１１がプログラムに基づいて処理を実行する際に各種のデータを一時的に格納するワークメモリである。
【００３３】
不揮発メモリ１４は、電源をオフにしても記憶内容が破壊されないメモリ（フラッシュメモリ）であり、各種設定情報の保存などに使用される。
【００３４】
ＨＤＤ１５は、大容量不揮発の記憶装置であり、複合機３０や携帯端末５０などのクライアントに対して送信するＷｅｂページのデータやＷｅｂブラウザに実行させるＷｅｂアプリケーションなどが格納されている。
【００３５】
ネットワーク通信部１６は、ネットワーク２を通じて複合機３０や携帯端末５０、その他の外部装置などとの間で通信する機能を果たす。
【００３６】
外部Ｉ／Ｆ１７には、ユーザから入力操作を受けるためのキーボード、マウス、各種画面を表示するためのディスプレイなどが接続される。
【００３７】
図５は、複合機３０の概略構成を示すブロック図である。複合機３０は、当該複合機３０の動作を統括的に制御するＣＰＵ３１を有している。ＣＰＵ３１にはバスを通じて、ＲＯＭ３２と、ＲＡＭ３３と、画像読取部３４と、プリンタ部３５と、画像処理部３６と、不揮発メモリ３７と、自動原稿搬送部３８と、ファクシミリ通信部３９と、ネットワーク通信部４１と、操作パネル４５が接続されている。
【００３８】
ＣＰＵ３１は、ＯＳプログラムをベースとし、その上で、ミドルウェアやアプリケーションプログラム、Ｗｅｂブラウザなどのプログラムを実行する。Ｗｅｂブラウザは印刷サーバ１０などからダウンロードしたＷｅｂページのデータに基づく表示を行うほか、印刷サーバ１０からダウンロードしたＷｅｂアプリケーションを実行する。
【００３９】
ＲＯＭ３２には、各種のプログラムが格納されており、これらのプログラムに従ってＣＰＵ３１が各種処理を実行することで複合機３０の各機能が実現される。
【００４０】
ＲＡＭ３３は、ＣＰＵ３１がプログラムに基づいて処理を実行する際に各種のデータを一時的に格納するワークメモリや画像データを格納する画像メモリなどとして使用される。また、印刷サーバ１０からダウンロードしたデータが格納される。
【００４１】
画像読取部３４は、原稿を光学的に読み取って画像データを取得する機能を果たす。画像読取部３４は、例えば、原稿に光を照射する光源と、その反射光を受けて原稿を幅方向に１ライン分読み取るラインイメージセンサと、ライン単位の読取位置を原稿の長さ方向に順次移動させる移動ユニットと、原稿からの反射光をラインイメージセンサに導いて結像させるレンズやミラーなどからなる光学経路と、ラインイメージセンサの出力するアナログ画像信号をデジタルの画像データに変換する変換部などを備えて構成される。自動原稿搬送部３８は、原稿台にセットされた原稿をその最上のものから１枚ずつ順に繰り出して搬送し、画像読取部３４の読み取り位置を通過させて所定の排紙位置へ排紙する機能を果たす。
【００４２】
プリンタ部３５は、印刷データに応じた画像を記録紙上に画像形成する機能を果たす。ここでは、記録紙の搬送装置と、感光体ドラムと、帯電装置と、レーザーユニットと、現像装置と、転写分離装置と、クリーニング装置と、定着装置とを有し、電子写真プロセスによって画像形成を行う、所謂、レーザープリンタとして構成されている。画像形成は他の方式でもかまわない。
【００４３】
画像処理部３６は、画像の拡大縮小、回転などの処理のほか、印刷データをイメージデータに変換するラスタライズ処理、画像データの圧縮、伸張処理などを行う。
【００４４】
不揮発メモリ３７は、各種設定情報の保存などに使用される。ファクシミリ通信部３９は、ファクシミリ機能を備えた外部装置と公衆回線を通じて画像データを送受信する機能を果たす。
【００４５】
ネットワーク通信部４１は、ネットワーク２を通じて印刷サーバ１０や携帯端末５０、他の外部装置などとの間でデータを通信する機能を果たす。
【００４６】
操作パネル４５は、表示部４６と、操作部４７を備えている。表示部４６は、液晶ディスプレイ（ＬＣＤ…Liquid Crystal Display）などで構成され、各種の操作画面、設定画面、Ｗｅｂブラウザの画面などを表示する機能を果たす。操作部４７は、スタートボタンなどの各種操作スイッチと、表示部４６の表示面上に設けられたタッチパネルとを備えている。
【００４７】
タッチパネルは、表示面がタッチペンや指などで押下された座標位置を検出する。また、フリック操作、ドラッグ操作、スクロールバーに対する操作などを検出する。フリック操作は、指などで表示面をタッチした後、その指を跳ねるように動作させる操作である。ドラッグ操作は、指などで表示面をタッチした後、タッチした状態のまま指をスライドさせ、停止後に指を離す動作である。
【００４８】
図６は、携帯端末５０の概略構成を示すブロック図である。携帯端末５０は、当該携帯端末５０の動作を制御するＣＰＵ５１に、バスを通じてＲＯＭ５２と、ＲＡＭ５３と、不揮発メモリ５４と、表示部５５と、操作部５６と、ネットワーク通信部５７とを接続して構成される。
【００４９】
ＣＰＵ５１は、ＯＳプログラムをベースとし、その上で、ミドルウェアやアプリケーションプログラム、Ｗｅｂブラウザなどのプログラムを実行する。Ｗｅｂブラウザは印刷サーバ１０などからダウンロードしたＷｅｂページのデータに基づく表示を行うほか、印刷サーバ１０などからダウンロードしたＷｅｂアプリケーションを実行する。
【００５０】
ＲＯＭ５２には、各種のプログラムが格納されており、これらのプログラムに従ってＣＰＵ５１が各種処理を実行することで携帯端末５０の各機能が実現される。
【００５１】
ＲＡＭ５３は、ＣＰＵ５１がプログラムに基づいて処理を実行する際に各種のデータを一時的に格納するワークメモリである。不揮発メモリ５４は、各種設定情報の保存などに使用される。また、印刷サーバ１０からダウンロードしたデータが格納される。
【００５２】
表示部５５は、液晶ディスプレイなどで構成され、各種の操作画面、設定画面、Ｗｅｂブラウザの画面などを表示する機能を果たす。操作部５６は、初期画面に戻るため等の少数の操作スイッチと、表示部５５の表示面上に設けられたタッチパネルとを備えている。タッチパネルは、表示面がタッチペンや指などで押下された座標位置を検出する。また、フリック操作、ドラッグ操作、スクロールバーに対する操作などを検出する。
【００５３】
ネットワーク通信部５７は、無線ＬＡＮなどの無線通信によってネットワーク２と接続し、印刷サーバ１０や複合機３０、その他の外部装置としで通信する機能を果たす。
【００５４】
図７は、印刷システム８のソフトウェア構成を示す説明図である。印刷サーバ１０は、所定のプログラムを実行することで、データ管理部８１、印刷ジョブ生成部８２としての機能を果たす。
【００５５】
データ管理部８１は、Ｗｅｂアプリケーション、画面情報、処理対象のドキュメントデータ、およびその印刷設定情報の管理を行う。携帯端末５０は、ここからＷｅｂアプリケーション等のプログラム及び画面情報をダウンロードして、Ｗｅｂブラウザを介してＷｅｂアプリケーションの内部処理や画面表示を行う。また、ここで管理されたドキュメントデータを、印刷ジョブ生成部８２に送信する。
【００５６】
印刷ジョブ生成部８２は、データ管理部８１から送信されたドキュメントデータと印刷設定情報に基づき、印刷ジョブの生成を行う。ここで生成されたデータが複合機３０のジョブ取得部９４に送信され、印刷出力される。
【００５７】
携帯端末５０は、Ｗｅｂブラウザが印刷サーバ１０からダウンロードしたＷｅｂページやＷｅｂアプリケーションを実行することで、画面表示部８４、プレビュー表示用画像管理部８８としての機能を果たす。画面表示部８４は、ファイル選択部８５、プレビュー部８６、印刷設定部８７の各機能を備えている。
【００５８】
画面表示部８４は、印刷サーバ１０のデータ管理部８１から取得した画面情報をもとに、Ｗｅｂブラウザ上に印刷設定やプレビュー閲覧のための画面表示を行う。
【００５９】
プレビュー表示用画像管理部８８は、プレビュー表示に必要なドキュメントのページ画像を印刷サーバ１０のデータ管理部８１から受け取り、プレビュー部８６に表示させる。
【００６０】
ファイル選択部８５は、印刷設定およびプレビュー表示を行う対象のドキュメントファイルの選択を受ける。選択されたドキュメントファイルは印刷サーバ１０にアップロードされるなどして印刷サーバ１０のデータ管理部８１にて管理される。
【００６１】
プレビュー部８６は、プレビュー表示用画像管理部８８から送られてきたページ画像を表示する。また、印刷設定部８７からの印刷設定情報をもとに、プレビュー表示の内容を印刷設定の内容が反映されるように変更する。また、ユーザからの入力の受け付け、ページ移動、プレビュー表示の拡大縮小、回転等、の操作を表示に反映する。
【００６２】
印刷設定部８７は、携帯端末５０の表示部５５上に印刷設定用のユーザインターフェース（印刷設定画面６０など）を表示する。また、設定内容の制御とユーザからの入力の受け付け、管理を行い、印刷設定情報をプレビュー部８６に反映させたり、印刷サーバ１０へ送信したりする。
【００６３】
複合機３０は、自装置の有する所定のプログラムを実行したり、Ｗｅｂブラウザが印刷サーバ１０からダウンロードしたＷｅｂページやＷｅｂアプリケーションを実行したりすることで、画面表示部９１、プレビュー表示用画像管理部９２、印刷設定管理部９３、ジョブ取得部９４、印刷部９５としての機能を果たす。
【００６４】
画面表示部９１は、操作パネル４５の表示部４６にプレビュー画像を表示するための制御を行う。画面表示部９１は、プレビュー部９６を含む。
【００６５】
プレビュー表示用画像管理部９２はプレビュー表示に必要なドキュメントのページ画像（プレビュー表示用画像）を印刷サーバ１０のデータ管理部８１から受け取り、プレビュー部９６に表示させる。
【００６６】
印刷設定管理部９３は、印刷サーバ１０のデータ管理部８１から送信された印刷設定情報を管理し、プレビュー部９６に反映させる。
【００６７】
プレビュー部９６は、プレビュー表示用画像管理部９２から送信されたページ画像を表示する。また、印刷設定管理部９３から送信された印刷設定情報をもとに、プレビュー表示の内容を印刷設定の内容が反映されるように変更する。また、ユーザからの入力の受け付け、ページ移動、プレビュー表示の拡大縮小、回転等、の操作を表示に反映する。
【００６８】
ジョブ取得部９４は印刷サーバ１０から送られてくる印刷ジョブを受け取り、印刷のための処理をする。印刷部９５は、ジョブ取得部９４で処理をされた印刷ジョブを、実際に印刷する。
【００６９】
次に、印刷システム８が行う処理の流れを説明する。
【００７０】
図８、図９は、携帯端末５０が行う処理の流れを示している。図１０は、複合機３０が行う処理の流れを示している。図１１は、印刷サーバ１０が行う処理の流れを示している。
【００７１】
図８〜図１１に示すソフトウェアの処理は、携帯端末５０から印刷サーバ１０の印刷アプリケーションに接続してログインし、携帯端末５０の表示部５５にプレビュー画像と印刷設定を受け付ける画面を表示した後、複合機３０の操作パネル４５から同様に印刷サーバ１０の印刷アプリケーションに接続し、印刷サーバ１０を介して携帯端末５０のアプリケーションと連携させ、携帯端末５０ではプレビュー画像の表示を消し、複合機３０の操作パネル４５の表示部４６にプレビュー画像を表示させて印刷を完遂するまでの一連の処理、もしくは、連携を行わず携帯端末５０のみで印刷を完遂するまでの一連の処理である。
【００７２】
なお、ここでは、同じユーザが印刷サーバ１０の印刷アプリケーションにログインしていることが、連携機能を有効にする条件となっている。
【００７３】
まず、印刷システム８で印刷を行う場合における携帯端末５０の動作を図８、図９の流れ図に従って説明する。ユーザから携帯端末５０のＷｅｂブラウザで印刷アプリケーションの起動操作を受けると、該アプリケーションを起動する（ステップＳ１０１）。アプリケーションが起動した後、ユーザからログイン操作を受け付けて、該ユーザでのログイン状態に移行する（ステップＳ１０２）。
【００７４】
ログイン後、ファイル選択部８５は印刷対象のファイルの選択操作をユーザから受け付けるための画面を携帯端末５０の表示部５５に表示し（ステップＳ１０３）、ユーザから印刷対象のドキュメントファイルの指定操作を受ける（ステップＳ１０４）。指定内容は印刷サーバ１０へ通知される。
【００７５】
この指定において、ユーザは、当該携帯端末５０内のドキュメントファイルを指定する、あるいは、印刷サーバ１０に保存されているものを指定する、あるいは、ネットワーク上の他のサーバに保存されているドキュメントファイルを指定することができる。携帯端末５０内のドキュメントファイルが指定された場合は、そのドキュメントファイルを印刷サーバ１０に送信してアップロードする。ネットワーク上の他のサーバに保存されているドキュメントファイルの指定は、たとえば、そのドキュメントファイルの所在を示すＵＲＬ(Uniform Resource Locator)を指定して行う。
【００７６】
ドキュメントファイルの指定が終わると、プレビュー部８６は表示部５５の表示領域の一部にブレビュー表示領域を設定し、印刷設定部８７は表示部５５の残りの領域に印刷設定を受け付けるための印刷設定画面を表示する（ステップＳ１０５）。その後、印刷サーバ１０のデータ管理部８１から送信されてくるページ画像（プレビュー表示用画像）を受信したら（ステップＳ１０６）、プレビュー部８６は、このページ画像に基づいてプレビュー画像を作成して上記のプレビュー表示領域に表示する（ステップＳ１０７）。
【００７７】
その後は、印刷サーバ１０側から複合機３０との連携要求を受信するか否か、および、ユーザから印刷の開始指示を受けるか否か、および、ユーザから印刷設定の操作を受けるか否か、を監視する（ステップＳ１０８；Ｎｏ、ステップＳ１１６；Ｎｏ、ステップＳ１１７；Ｎｏ）。
【００７８】
ここで、印刷サーバ１０側から複合機３０との連携要求を受けると（ステップＳ１０８；Ｙｅｓ）、複合機３０と連携するか否かを問い合わせるメッセージを携帯端末５０の表示部５５に表示し（ステップＳ１０９）、ユーザから、連携するか否かの選択操作を受ける（ステップＳ１１０）。
【００７９】
複合機３０側と連携を行わない旨の選択操作を受けた場合は（ステップＳ１１０；Ｎｏ）、ステップＳ１１６に移行し、複合機３０と連携せずに携帯端末５０単独でプレビュー表示を行いながら印刷設定を受け付けて印刷を行う。
【００８０】
複合機３０側と連携する旨の選択操作を受けた場合は（ステップＳ１１０；Ｙｅｓ）、携帯端末５０のアプリケーションは印刷サーバ１０に連携の受諾を送信し（ステップＳ１１１）、携帯端末５０の表示部５５の表示からプレビュー表示領域を削除し、印刷設定画面のみが表示領域全体に表示されるように画面構成を変更する（ステップＳ１１２）。
【００８１】
その後、ユーザから印刷の開始指示を受けるか否か、および、ユーザから印刷設定の操作を受けるか否か、を監視する（ステップＳ１１３；Ｎｏ、ステップＳ１１４；Ｎｏ）。
【００８２】
ここで、ユーザから印刷の開始指示を受けると（ステップＳ１１３；Ｙｅｓ）、印刷サーバ１０へ印刷要求を送信して（ステップＳ１１９）処理を終了する。印刷要求を受け取った印刷サーバ１０のデータ管理部８１は印刷ジョブ生成部８２にドキュメントファイルのデータを渡し、印刷ジョブ生成部８２は印刷ジョブを生成して複合機３０に送信し、印刷を行わせる。
【００８３】
ユーザから印刷の開始指示を受ける前に（ステップＳ１１３；Ｎｏ）、印刷設定の変更操作を受けた場合は（ステップＳ１１４；Ｙｅｓ）、変更後の印刷設定の内容を示す印刷設定情報を印刷サーバ１０のデータ管理部８１に送信し（ステップＳ１１５）、ステップＳ１１３に戻る。
【００８４】
印刷サーバ１０から複合機３０との連携要求を受ける前に（ステップＳ１０８；Ｎｏ）、ユーザから印刷の開始指示を受けた場合は（ステップＳ１１６；Ｙｅｓ）、印刷サーバ１０へ印刷要求を送信して（ステップＳ１１９）処理を終了する。
【００８５】
ユーザから印刷の開始指示を受ける前に（ステップＳ１１６；Ｎｏ）、印刷設定の変更操作を受けた場合は（ステップＳ１１７；Ｙｅｓ）、変更後の印刷設定の内容を示す印刷設定情報を印刷サーバ１０のデータ管理部８１に送信し（ステップＳ１１８）、ステップＳ１０８に戻って処理を継続する。
【００８６】
図１０は、印刷システム８で印刷を行う場合における複合機３０の動作を示す流れ図である。ユーザからの操作に基づき、複合機３０のＷｅｂブラウザから印刷サーバ１０の印刷アプリケーションに接続する（ステップＳ２０１）。そして、ユーザからログイン操作を受けて、該ユーザによるログイン状態に移行する（ステップＳ２０２）。ユーザが印刷アプリケーションへログインすると、複合機３０のプレビュー部９６は、複合機３０の操作パネル４５の表示部４６にプレビュー画面７０（この時点ではプレビュー画像表示エリア７１は空欄）を表示し（ステップＳ２０３）、印刷サーバ１０に対して、携帯端末５０との連携要求を送信する（ステップＳ２０４）。
【００８７】
これを受けた印刷サーバ１０は、図９のＳ１０８で示した連携要求を携帯端末５０に対して送信する。
【００８８】
複合機３０のプレビュー部９６は、印刷サーバ１０からプレビュー表示用画像（ページ画像）を受信すると（ステップＳ２０５；Ｙｅｓ）、これに対応するプレビュー画像をプレビュー画像表示エリア７１に表示する（ステップＳ２０６）。
【００８９】
その後、印刷サーバ１０から印刷設定情報を受信した場合は（ステップＳ２０７；Ｙｅｓ）、その印刷設定情報が反映されるように印刷設定管理部９３がプレビュー部９６にプレビュー画像を加工・変更させる（ステップＳ２０８）。ユーザから印刷の開始指示を受けた場合は（ステップＳ２０９；Ｙｅｓ）、印刷サーバ１０へ印刷要求を送信して（ステップＳ２１０）処理を終了する。
【００９０】
一方、所定時間が経過しても印刷サーバ１０からプレビュー表示用画像（ページ画像）を受信できなければ（ステップＳ２０５；Ｎｏ）、複合機３０上での印刷アプリケーションの動作は終了する。
【００９１】
図１１は、印刷システム８で印刷を行う場合における印刷サーバ１０の動作を示している。印刷サーバ１０は、携帯端末５０からユーザのログインを受信し（ステップＳ３０１）、携帯端末５０からドキュメントの指定を受信すると（ステップＳ３０２）、携帯端末５０にそのドキュメントのプレビュー表示用画像を送信する（ステップＳ３０３）。
【００９２】
その後、複合機３０から携帯端末５０との連携要求を受信するか否かと、携帯端末５０から印刷要求を受信するか否かを監視する（ステップＳ３０４；Ｎｏ、Ｓ３１１；Ｎｏ）。
【００９３】
ここで、携帯端末５０側でログインしたユーザと同じユーザがログインしている複合機３０からその携帯端末５０との連携要求を受信した場合は（ステップＳ３０４；Ｙｅｓ）、その携帯端末５０に連携要求を送信する（ステップＳ３０５）。携帯端末５０から連携の受諾を受信しなければ（ステップＳ３０６；Ｎｏ）、ステップＳ３１１へ移行する。
【００９４】
携帯端末５０から連携の受諾を受信した場合は（ステップＳ３０６；Ｙｅｓ）、複合機３０にドキュメントのプレビュー表示用画像を送信する（ステップＳ３０７）。
【００９５】
その後、複合機３０と携帯端末５０のいずれかから印刷要求を受信した場合は（ステップＳ３０８；Ｙｅｓ）、印刷ジョブ生成部８２にて印刷ジョブを生成し、複合機３０のジョブ取得部９４へ送信して（ステップＳ３１２）、本処理を終了する。
【００９６】
印刷要求を受ける前に（ステップＳ３０８；Ｎｏ）、携帯端末５０から印刷設定の変更（変更後の印刷設定情報）を受信した場合は（ステップＳ３０９；Ｙｅｓ）、複合機３０の印刷設定管理部９３へ携帯端末５０から受信した印刷設定情報を送信し（ステップＳ３１０）、ステップＳ３０８へ戻る。
【００９７】
また、複合機３０からの携帯端末５０との連携要求を受信していない場合に（ステップＳ３０４；Ｎｏ）、携帯端末５０から印刷要求を受信した場合も（ステップＳ３１１；Ｙｅｓ）、印刷ジョブ生成部８２にて印刷ジョブを生成し、複合機３０のジョブ取得部９４へ送信して（ステップＳ３１２）、本処理を終了する。
【００９８】
なお、上記の例では、携帯端末５０で印刷設定を行い、複合機３０にプレビュー表示を行う例を示したが、役割を逆にしてもよい。また、複合機３０と携帯端末５０のいずれでプレビュー表示を行うかを、ユーザが任意に選択可能としてもよいし、あるいは、印刷サーバ１０が自動的に選択するようにしてもよい。
【００９９】
どちらにプレビュー表示を行わせるかを印刷サーバ１０が自動的に決定する場合、携帯端末５０と複合機３０の表示性能（表示面積や解像度、モノクロ／カラー表示など）に応じてプレビュー表示をいずれに担当させるかを決定する。たとえば、表示面積の大きい方にプレビュー表示を行わせる。
【０１００】
複合機３０側のディスプレイは画面サイズの縦横比が４：３のものが多いが、これはプレビュー表示に適している。一方、携帯電話型の携帯端末５０はワンセグ視聴のために１６：９かこれに近い縦横比を持つものが多い。このような縦長の画面形状を持つ携帯端末５０は、印刷設定画面の表示に適している。
【０１０１】
印刷サーバ１０は上記のような表示性能の情報を複合機３０や携帯端末５０から取得し、これらを比較してそれぞれの役割を決定する。
【０１０２】
このように、印刷システム８では、携帯端末５０と複合機３０のいずれか一方で印刷設定を行いつつ、他方でその印刷設定が反映されたプレビュー画像を表示するので、複合機３０や携帯端末５０のディスプレイが小さい場合でも、より大きなサイズでプレビュー画像を確認しながら印刷設定を行うことができる。
【０１０３】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１０４】
実施の形態では、印刷サーバ１０から複合機３０に送信したＷｅｂページに含まれるＷｅｂアプリケーションが、携帯端末５０で行われた印刷設定の内容を印刷サーバ１０経由で受信し、この印刷設定が反映されるようにプレビュー表示用画像を変更・加工するようにした。しかし、印刷設定が変更される度に、その印刷設定の反映されたプレビュー表示用画像を印刷サーバ１０が作成し、これをプレビュー表示する方の装置に送信して表示させる、といった構成でもかまわない。
【０１０５】
実施の形態では、複合機３０と携帯端末５０とを連携させる場合を例示したが、複合機３０と他の複合機３０、携帯端末５０と他の携帯端末５０とを連携させて印刷設定とプレビュー表示を行ってもかまわない。また、連携対象は、複合機３０以外の装置、たとえば、単機能の印刷装置でもよい。
【０１０６】
このほか、連携対象の印刷設定と携帯端末５０とが所定距離内に存在することが確認された場合にのみ、それらの連携が許可されるように構成してもよい。
【０１０７】
操作パネル４５は複合機３０に組み込まれる形態であったが、複合機３０などの装置本体から取り外し可能な形態でもよい。
【符号の説明】
【０１０８】
２…ネットワーク
３…アクセスポイント
８…印刷システム
１０…印刷サーバ
１１…ＣＰＵ
１２…ＲＯＭ
１３…ＲＡＭ
１４…不揮発メモリ
１５…ＨＤＤ
１６…ネットワーク通信部
１７…外部Ｉ／Ｆ
３０…複合機
３１…ＣＰＵ
３２…ＲＯＭ
３３…ＲＡＭ
３４…画像読取部
３５…プリンタ部
３６…画像処理部
３７…不揮発メモリ
３８…自動原稿搬送部
３９…ファクシミリ通信部
４１…ネットワーク通信部
４５…操作パネル
４６…表示部
４７…操作部
５０…携帯端末
５１…ＣＰＵ
５２…ＲＯＭ
５３…ＲＡＭ
５４…不揮発メモリ
５５…表示部
５６…操作部
５７…ネットワーク通信部
６０…印刷設定画面
７０…プレビュー画面
７１…プレビュー画像表示エリア
７２…ページ番号欄
７３…右矢印釦
７４…左矢印釦
７５…ＯＫ釦
７８…プレビュー画像
８１…データ管理部
８２…印刷ジョブ生成部
８４…画面表示部
８５…ファイル選択部
８６…プレビュー部
８７…印刷設定部
８８…プレビュー表示用画像管理部
９１…画面表示部
９２…プレビュー表示用画像管理部
９３…印刷設定管理部
９４…ジョブ取得部
９５…印刷部
９６…プレビュー部
【図１】
2014048746.tif 000003
【図２】
2014048746.tif 000004
【図３】
2014048746.tif 000005
【図４】
2014048746.tif 000006
【図５】
2014048746.tif 000007
【図６】
2014048746.tif 000008
【図７】
2014048746.tif 000009
【図８】
2014048746.tif 000010
【図９】
2014048746.tif 000011
【図１０】
2014048746.tif 000012
【図１１】
2014048746.tif 000013